(57)【要約】【課題】組み立て家具用のブロックとして、各面間隔がそのまま家具の一部の寸法を構成して、最低限２つのブロックの組み合わせで一種類の家具が構成でき、また、３対の面の用い方で、椅子、テーブル、棚、パーテーションの一つの寸法を確保することができ、効率良く組み立て家具が構成できる組み立て家具用ブロックを提供することを目的とする。【解決手段】合成樹脂製の各辺の長さが異なる中空の直方体１であって、対向する３対の面の内、対面間隔が最小のＡ面（１ａ）は椅子の座面として適切な正方形の辺の半分の長さの対面間隔となっており、次に対面間隔が大きいＢ面（１ｂ）は、Ａ４ファイルを抜き差しできる間隔となっており、最大対面間隔のＣ面（１ｃ）は椅子の座面として適切な正方形の辺の長さの対面間隔となっている組み立て家具用ブロックであって、各縁は面取り４がされており、少なくともＢ面には、一対の凹部と凸部とが対向する面で凹凸が異なるように設けられている組み立て家具用ブロック５。【選択図】図１
2012210334.tif 000002
【特許請求の範囲】
【請求項１】
合成樹脂製の各辺の長さが異なる中空の直方体であって、対向する３対の面の内、対面間隔が最小のＡ面は椅子の座面として適切な正方形の辺の半分の長さの対面間隔となっており、次に対面間隔が大きいＢ面は、Ａ４ファイルを抜き差しできる間隔となっており、最大対面間隔のＣ面は椅子の座面として適切な正方形の辺の長さの対面間隔となっている組み立て家具用ブロックであって、
各縁は面取りがされており、少なくともＢ面には、一対の凹部と凸部とが対向する面で凹凸が異なるように設けられており、これらの凹部と凸部とは、他の組み立て家具用ブロックのＢ面の凸部と凹部に隙間無く填まり込むようになっていることを特徴とする組み立て家具用ブロック。
【請求項２】
Ｃ面には、一対の凹部と凸部とが対向する面で凹凸が異なるように設けられており、これらの凹部と凸部とは、他の組み立て家具用ブロックのＣ面の凸部と凹部に隙間無く填まり込むようになっていることを特徴とする請求項１記載の組み立て家具用ブロック。。
【請求項３】
Ａ面には、前後左右に２対の凹部と凸部とが対向する面で凹凸が異なるように設けられており、他の組み立て家具用ブロックの同じ面の凸部と凹部に隙間無く填まり込むようになっていることを特徴とする請求項１または２記載の組み立て家具用ブロック。
【請求項４】
Ｂ面の一方面には凹凸がなく、平坦であり、床面に接触するようになっていることを特徴とする請求項１〜３のいずれか記載の組み立て家具用ブロック。
【請求項５】
Ｂ面の床面に接触する面は、滑り止め面となっており、かつ、ブロック内に液体を貯留するための注排水口を備えていることを特徴とする請求項１〜４のいずれかに記載の組み立て家具用ブロック。
【請求項６】
ブロックの各凹部、凸部には、ブロック間の電気的接続を可能にする電気接続部が設けられていることを特徴とする請求項１〜５のいずれか記載の組み立て家具用ブロック。
【請求項７】
Ａ面間隔が２００ミリ、Ｂ面間隔が３３０ミリ、Ｃ面間隔が４００ミリであることを特徴とする請求項１〜６のいずれか記載の組み立て家具用ブロック。
【請求項８】
請求項１〜７いずれか記載の組み立て家具用ブロックを少なくとも２個以上組み立てて構成されていることを特徴とする組み立て家具。
【発明の詳細な説明】
【技術分野】
【０００１】
本発明は、同じ直方体のブロックを組み合わせることで、椅子や机などの家具とすることができる組み立て家具用ブロック及び、この組み立て家具用ブロックを組み立てて構成された組み立て家具に関する。
【背景技術】
【０００２】
同じ直方体のブロックを組み合わせることで、椅子や、机や、棚などの家具とすることができる組み立て家具用ブロック及び組み立て家具については、例えば、特許文献１〜５の背景技術が提案されている。
【０００３】
図１０は、これら本発明の背景技術を示すもので、（ａ１）〜（ａ３）は特許文献１に記載のものを示す図、（ｂ１）〜（ｂ３）は、特許文献２に記載のものを示す図、（ｃ１）、（ｃ２）は特許文献３に記載のものを示す図である。
【０００４】
図１０（ａ１）〜（ａ３）に記載のものは、合成樹脂製の連結部材１１を複数個連結して棚とすることができ、連結部材１１は、平板状の頂壁部１９と、この頂壁部１９の周端部から直角に折れ曲がった周壁部２１と、頂壁部１９の外側面１９ａに形成され、他の連結部材１１の周壁部２１の内側に挿入されて、この周壁部２１の内側に保持される外側突出部２２とを備えている。
【０００５】
このような構成で、この組立式構造体は、種々の形態の棚に容易に変形することができる（特許文献１の要約）ものであるが、構成できる家具が棚に限定され、上下の連結部材１１をより確実に連結するのに挿通部材など補助的部材が必要とされるなど、連結のためだけに追加の部材が必要なものであった。
【０００６】
図１０（ｂ１）〜（ｂ３）に記載のユニット式家具は、一面が開口した直方体のユニットパーツ２１、２２、２３があり、この開口面に直交する各面に凹部２１ａ，２２ａ，２３ａを有し、相対向する凹部２１ａ，２２ａ，２３ａとの双方に填まり込むジョイントパーツ２４を用いて、種々の棚を構成することができるものである。
【０００７】
しかし、このユニット式家具は、テーブルやワークディスク、チェスト（洋服掛け）、テレビ台、キャビネット（飾り棚）、サイドボード（食器棚）、ブックシェルフ（本棚）、ベンチ（椅子）、あるいはＣＤ、ＤＶＤ、ＶＩＤＥＯのラックなど、広い用途に対応することができる（段落［００２５］）と記載してあるが、その具体例はなく、また、その多用途を考慮したユニットの各寸法についての記載もないものであった。
【０００８】
図１０（ｃ１）、（ｃ２）に記載された連結ブロックによるシステム家具は、図１０（ｃ１）に示されたように、直方立方体のユニット３１の六面の相互に直交する三面に角形の凹部３２を２箇所ずつもうけ、他の三面には角形の凸部３３を設けて、このユニット３１を多数連結組み立てて、例えば、図１０（ｃ２）のようなベッド３５を構成することができるものである。
【０００９】
しかし、この文献でも、多用途を考慮したユニットの各寸法についての記載もなく、例示のベッド３５を構成するのに、多数のユニット３１が必要であり、その際、外側に表れる凹部３２、凸部３３による凹凸についてどのように処理するかの記載もなく、そのまま、例えば、ベッドとして使用できるものではないように考えられた。
【００１０】
また、他の特許文献４、５もユニット組み合わせ式の家具が提案されているが、そのユニットの各寸法について、多用途を考慮したものはなく、家具を構成する場合の制約が大きいものであった。
【先行技術文献】
【特許文献】
【００１１】
【特許文献１】特開２００４−１３２４７２号公報（図１）
【特許文献２】特許第３５６６７１４号号公報（図１）
【特許文献３】特開平１０−５０５４号公報（図１、２）
【特許文献４】実用新案登録第３１１０２９７号（図１）
【特許文献５】実開平１−１２９４１０号公報（図１、２）
【発明の概要】
【発明が解決しようとする課題】
【００１２】
本発明は、このような技術的課題を解決しようとするものであり、組み立て家具用のブロックとして、各面間隔がそのまま家具の一部の寸法を構成して、最低限２つのブロックの組み合わせで一種類の家具が構成でき、また、３対の面の用い方で、椅子、テーブル、棚、パーテーションなどの一つの寸法を確保することができ、効率良く組み立て家具が構成できる組み立て家具用ブロック及び、このブロックを用いた組み立て家具を提供することを目的とする。
【課題を解決するための手段】
【００１３】
本発明の組み立て家具用ブロックは、合成樹脂製の各辺の長さが異なる中空の直方体であって、対向する３対の面の内、対面間隔が最小のＡ面は椅子の座面として適切な正方形の辺の半分の長さの対面間隔となっており、次に対面間隔が大きいＢ面は、Ａ４ファイルを抜き差しできる間隔となっており、最大対面間隔のＣ面は椅子の座面として適切な正方形の辺の長さの対面間隔となっている組み立て家具用ブロックであって、
各縁は面取りがされており、少なくともＢ面には、一対の凹部と凸部とが対向する面で凹凸が異なるように設けられており、これらの凹部と凸部とは、他の組み立て家具用ブロックのＢ面の凸部と凹部に隙間無く填まり込むようになっているので、組み立て家具用のブロックとして、各面間隔がそのまま家具の一部の寸法を構成して、最低限２つのブロックの組み合わせで一種類の家具が構成でき、また、３対の面の用い方で、椅子、テーブル、棚、パーテーションなどの一つの寸法を確保することができ、効率良く組み立て家具が構成できる。
【００１４】
本発明の組み立て家具は、上記組み立て家具用ブロックを少なくとも２個以上組み立てて構成されているので、上記組み立て家具用ブロックの効果を、組み立て家具として発揮する。
【発明の効果】
【００１５】
上記、解決手段に記載した通りである。
【図面の簡単な説明】
【００１６】
【図１】本発明の組み立て家具用ブロックの一例を示すもので、（ａ）は、その上面図、（ｂ）は、その正面図、（ｃ）は、その側面図、（ｄ）は、その凹部詳細断面図、（ｅ）は、その凸部詳細断面図
【図２】本発明の組み立て家具用ブロックの他例を示すもので、（ａ）は、その正面図、（ｂ）は、その側面図、（ｃ）は、その下面図、（ｄ）は、その凹部詳細断面図、（ｅ）は、その凸部詳細断面図
【図３】本発明の組み立て家具用ブロックの使用状態を示すもので、（ａ）はその正面図、（ｂ）は、その側面図、（ｃ）はその水平調節部の要部拡大図
【図４】本発明の組み立て家具用ブロックを組み合わせた書棚を示すもので、（ａ）は、その上面図、（ｂ）は、その正面図
【図５】本発明の組み立て家具用ブロックを組み合わせたテーブルを示すもので、（ａ）は、その正面図、（ｂ）は、その側面図
【図６】本発明の組み立て家具用ブロックを組み合わせた長椅子を示すもので、（ａ）は、その正面図、（ｂ）は、その側面図
【図７】本発明の組み立て家具用ブロックを組み合わせた長椅子を示すもので、（ａ）は、その正面図、（ｂ）は、その側面図、（ｃ）は、椅子を示す正面図、（ｄ）は、同様に椅子を示す正面図、（ｅ）は、長椅子を連結して、異なる形状の長椅子を構成した状態を示す上面図
【図８】本発明の組み立て家具用ブロックを組み合わせたパーテーションの一例を示す正面図
【図９】本発明の組み立て家具用ブロックを組み合わせたパーテーションの別例を示す上面図
【図１０】本発明の背景技術を示すもので、（ａ１）〜（ａ３）は特許文献１に記載のものを示す図、（ｂ１）〜（ｂ３）は、特許文献２に記載のものを示す図、（ｃ１）、（ｃ２）は特許文献３に記載のものを示す図
【符号の説明】
【００１７】
１ａ      Ａ面
１ｂ      Ｂ面
１ｃ      Ｃ面
１ｄ      平坦Ｂ面
１ｅ      滑り止めＢ面
１ｆ      注排水口
１ｇ      水平調節部
２        凹部
２ａ      Ａ凹部
２ｂ      Ｂ凹部
２ｃ      Ｃ凹部
２ｄ      雄電気接続部
３        凸部
３ａ      Ａ凸部
３ｂ      Ｂ凸部
３ｃ      Ｃ凸部
３ｄ      雌電気接続部
４        面取り
５〜５Ｂ、５´      組み立て家具用ブロック
６        棚板
７        天板
１０〜１０Ｇ      組み立て家具
ＦＬ      床面
【発明を実施するための形態】
【００１８】
＜実施態様１＞
以下、本発明の実施態様を添付図面を参照しながら説明する。図１は、本発明の組み立て家具用ブロックの一例を示すもので、（ａ）は、その上面図、（ｂ）は、その正面図、（ｃ）は、その側面図、（ｄ）は、その凹部詳細断面図、（ｅ）は、その凹部詳細断面図である。
【００１９】
この図１の組み立て家具用ブロック５は、合成樹脂製の各辺の長さが異なる中空の直方体１であって、対向する３対の面の内、対面間隔が最小のＡ面１ａは椅子の座面として適切な正方形の辺の半分の長さの対面間隔となっており、次に対面間隔が大きいＢ面１ｂは、Ａ４ファイルを抜き差しできる間隔となっており、最大対面間隔のＣ面１ｃは椅子の座面として適切な正方形の辺の長さの対面間隔となっている。
【００２０】
具体的には、Ａ対面間隔は２００ミリ、Ｂ対面間隔は３３０ミリ、Ｃ対面間隔は４００ミリとなっている。これらの寸法は、具体的な例示であり、これらに限定されるものではない。本願発明の中心的思想は、これらの寸法を決める際に、人間工学に基づいて、このブロックで構成する組み立て家具の最大公約数を基準として、それぞれの対面間隔を決定した点が特徴である。
【００２１】
特に、重要なのは、Ｂ対面間隔であり、それは、Ａ４ファイルを抜き差しできる間隔でありながら、その上に適切な厚さのクッションを載せることで、椅子の座面の高さとなり、加えて、Ｂ面を２段積みとすると、その上に、適切な厚さの天板を載せることでテーブルになる寸法となっている点である。これらの点については、実例の図を用いて後に説明する。
【００２２】
また、各縁は面取り４がされており、少なくともＢ面（１ｂ）には、一対のＢ凹部２ｂとＢ凸部３ｂとが対向する面で凹凸が異なるように設けられており、これらのＢ凹部２ｂとＢ凸部３ｂとは、他の組み立て家具用ブロック５のＢ凸部３ｂとＢ凹部２ｂに隙間無く填まり込むようになっていることを特徴とする。
【００２３】
面取り４は、この図のようにＲ面取りでもよく、Ｃ面取り（直線面取り）であってもよい。この面取り４がある結果、ブロック５を積み重ねた場合には、各ブロック５の角部分には隙間が生じることになり、後述するように、その隙間も有効利用することができる。
【００２４】
各凹部と凸部は、各ブロックを相互連結するためのものであるが、上述したようにＢ面間隔が重要であり、多用途であるので、特に、このＢ面には少なくともＢ凹部２ｂとＢ凸部３ｂとを設け、Ｂ面（１ｂ）が上下となるように重ねて、椅子、棚、机などを構成することができるのである。
【００２５】
一方、本発明では、原則、ブロック１の全部の面、つまり、Ａ面（１ａ），Ｂ面（１ｂ），Ｃ面（１ｃ）に少なくとも一対の凹部と凸部を設け、各ブロック１がどの方向にも連結可能とし、一方、連結に使わない面の凹部、凸部については、意匠的な外観として機能し、加えて、追加で、その面にパネルを吊り下げたり、植木鉢を吊り下げるのに用いることができるようにしている点も特徴である。
【００２６】
なお、Ｃ面（１ｃ）には、一対のＣ凹部２ｃとＣ凸部３ｃとが対向する面で凹凸が異なるように設けられており、これらの凹部と凸部とは、他の組み立て家具用ブロック５のＣ面のＣ凸部３ｃとＣ凹部２ｃに隙間無く填まり込むようになっている。
【００２７】
更に、Ａ面には、前後左右に２対のＡ凹部２ａとＡ凸部３ａとが対向する面で凹凸が異なるように設けられており、他の組み立て家具用ブロック５の同じ面のＡ凸部３ａとＡ凹部２ａに隙間無く填まり込むようになっている。
【００２８】
図１（ｄ）に示すように、各凹部２は、より内径の大きい開口側内周部２ｅと、開口側内周部２ｅに比べわずかに内径の小さい奥側内周部２ｆとで構成され、その底部分は底面２ｇとして閉塞されている。図１（ｅ）に示すように、各凸部３は、より外径の小さい先側外周部３ｅと、先側外周部３ｅよりわずかに大きい外径の基側外周部３ｆとで構成され、その先端部分は、天面３ｇとして閉塞されている。
【００２９】
各凹部３と各凸部２が２段構成としてあるのは、最初はより嵌め合いを為やすくすると共に、両者が相互に奥まは基まで填まり合った場合には、絞まり嵌めとなって、双方の結合を容易には離れないようにして、組み立てた際にガタや傾き、緩みが生じないようにしているのである。
【００３０】
組み立て家具用ブロック５の合成樹脂素材としては、ポリエチレン（ＰＥ）、ＡＢＳ樹脂（ＡＢＳ）、ポリプロピレン（ＰＰ）、メタクリル樹脂（ＰＭＭＡ）、ポリ塩化ビニル（ＰＶＣ）、ポリスチレン（ＰＳ）が好適であり、その光特性としては、透明、半透明、不透明のいずれであってもよい。後述するように内部に光源を入れる場合には、半透明か、透明が良いのは当然のことである。
＜実施態様２＞
【００３１】
図２は、本発明の組み立て家具用ブロックの他例を示すもので、（ａ）は、その正面図、（ｂ）は、その側面図、（ｃ）は、その下面図、（ｄ）は、その凹部詳細断面図、（ｅ）は、その凸部詳細断面図である。これより、すでに説明した部分については同じ符号を付して、重複説明を省略する。
【００３２】
図２（ａ），（ｂ）に記載の組み立て家具用ブロック５Ａは、図１（ａ）〜（ｃ）の組み立て家具用ブロック５に比べ、Ａ面に凸部、凹部が無い点が異なっている。図２（ｃ）の組み立て家具用ブロック５Ｂは、Ｂ面の下方となる側が、凸部、凹部が無く、滑り止めＢ面１ｅとなっており、この滑り止めＢ面１ｅに、組み立て家具用ブロック５Ｂの中へ、液体（主に水）を貯留するための注排水口１ｆを備えている点が、図２（ａ），（ｂ）の組み立て家具用ブロック５Ａと異なっている。
【００３３】
家具用ブロック５Ｂの滑り止めＢ面１ｅは、地面あるいは床面接して、滑り止め効果を発揮すると共に、最下部のブロック５Ｂとして、注排水口１ｆにより水を貯留して、ブロック５ＢをＢ面を接触させて積み上げた場合の重心を低くして、安定性を向上させることができるものである。
【００３４】
加えて、中空の組み立て家具用ブロックは、必要に応じて、災害時用の水の貯留空間としても利用が可能であり、その場合の注排水口は、凸部、凹部に適宜設けることができる。
【００３５】
図２（ｄ）に示す凹部２Ａは、その底面２ｇ′に雄電気接続部２ｄを設けたものである。図２（ｅ）に示す凸部３Ａは、その天面３ｇ′に雌電気接続部３ｄを設けたものである。これらの雄電気接続部２ｄと雌電気接続部３ｄは、凹部２Ａ、凸部３Ａを嵌め合わせると、電気的接続も同時に達成されるものである。これらの電気接続部２ｄ，３ｄの電気的接続により、必要に応じて、家具用ブロック５等の中ＬＥＤなどの光源を入れて、中から各色の照明を適宜点灯させることが可能となる。
＜実施態様３＞
【００３６】
図３は、本発明の組み立て家具用ブロックの使用状態を示すもので、（ａ）はその正面図、（ｂ）は、その側面図、（ｃ）はその水平調節部の要部拡大図である。
【００３７】
図３（ａ）、（ｂ）の使用状態は、図１の組み立て家具用ブロック５を、下Ｂ面に凹部、凸部がなく、下Ｂ面の４隅に水平調節部１ｇを設けた組み立て家具用ブロック５´の上に載せた状態を示している。水平調節部１ｇは、家具用ブロック５の下Ｂ面（１ｂ）の４隅に設けられた雌ねじと、この雌ねじにネジ嵌合するボルトと、このボルトの緩み止めのナットとを備えており、積み上げられた家具用ブロック５´，５が床面ＦＬに対して鉛直に直立するように調整し、その状態を維持することができる。
【００３８】
上記の水平調節部１ｇは、すべての最下部の組み立て家具用ブロックに設ける必要はないもので、特に、水平度、つまり、鉛直度を正確に確保したい場合にのみ用いるものである。
【００３９】
図４は、本発明の組み立て家具用ブロックを組み合わせた書棚を示すもので、（ａ）は、その上面図、（ｂ）は、その正面図である。この書棚１０は、最下部に図２（ｃ）の組み立て家具用ブロック５Ｂを置き、その上に棚板６を挟んで、図２（ａ）、（ｂ）の組み立て家具用ブロック５Ａを重ねたものである。  
【００４０】
各ブロックの最上部の棚板６の上には、さらに凸出しているＢ突部３ｂを隠す上板５ａが載せられ、そのうえにさらに意匠的な外観を良くするために、半円キャップＣＡや、円錐キャップＣＢを被せるようにしてもよい。
【００４１】
また、棚板６の厚さは５ミリ以上１０ミリ以下が好適であり、素材としては鉄、アルミ、ガラス、強化プラスチック等が好適である。
【００４２】
このよう書棚１０によれば、組み立て家具用ブロック５Ａ，５ＢのＢ面間隔が生かされ、各棚には、Ａ４サイズのファイルを立てて並べることができる。一方、棚の右側では、２段目に棚板がなく、例えば、薄型テレビなど、より大きなサイズのものを載せたりすることができる。
【００４３】
図５は、本発明の組み立て家具用ブロックを組み合わせたテーブルを示すもので、（ａ）は、その正面図、（ｂ）は、その側面図である。このテーブル１０Ａは、左右に前後２つの２段積みの組み立て家具用ブロック５′、５Ａを配置して、合計８つのブロック５′、５Ａを使い、その上Ｂ面の凹部を埋めてＢ凸部３ｂと同じ高さにする補助柱５ｂを入れ、その上にテーブルの天板７を載せたものである。
【００４４】
天板７の裏面には、Ｂ凸部３ｂ，補助柱５ａが填まり込む凹所を設けて、前後左右の位置決めができるようにしても良いし、天板７の裏面に、Ｂ凸部３ｂ，補助柱５ａが填まり込む補助筒を設置して、前後左右の位置決めをするようにしても良い。
【００４５】
このようにして、Ｂ面を２段重ね併せて、天板をのせると、６６０ミリ＋４０ミリ＝７００ミリとなり、一般にテーブルとして使われる高さを確保することができる。なお、組み立て家具用ブロック５′は、組み立て家具用ブロック５Ａの下Ｂ面の凸部、凹部を無くしたものである。
【００４６】
図６は、本発明の組み立て家具用ブロックを組み合わせた長椅子を示すもので、（ａ）は、その正面図、（ｂ）は、その側面図である。この長椅子１０Ｂは、左右に前後にＣ面で連結した組み立て家具用ブロック５′を配置し、その上に、クッション性のある座板８を載せたものである。
【００４７】
この場合、座板８の上面の高さは、Ｂ面間隔である３３０ミリに座板８の厚さ５０ミリから７０ミリを加えたもので、合計で、４００ミリ弱の高さとなり、椅子の高さとして適切な高さとなっている。
【００４８】
図７は、本発明の組み立て家具用ブロックを組み合わせた長椅子を示すもので、（ａ）は、その正面図、（ｂ）は、その側面図、（ｃ）は、椅子を示す正面図、（ｄ）は、同様に椅子を示す正面図、（ｅ）は、長椅子を連結して、異なる形状の長椅子を構成した状態を示す上面図である。
【００４９】
図７（ａ），（ｂ）の長椅子１０Ｃは、組み立て家具用ブロック５′を間隔を置いて並べて、その上に、Ｂ面のＢ凸部３ｂに対応した穴を有する座板８Ａを載せたものであり、その高さは、図６と同様に、椅子として適切な高さとなっている。
【００５０】
図７（ｃ）の椅子１０Ｄは、組み立て家具用ブロック５′のＡ面が組合わさるように並べたものに、Ｂ面のＢ凸部３ｂに対応した穴を有する座板８Ｂを載せたもので、図７（ａ），（ｂ）の長椅子１０Ｃと同様に、椅子として適切な高さとなっている。この椅子１０Ｄが、本願発明の組み立て家具用ブロックを最小個数、つまり、２個使った例の一つである。
【００５１】
図７（ｄ）の椅子１０Ｅは、図７（ｃ）の椅子１０Ｄを背中合わせに並べたものである。この場合も、単に二つの椅子が並んでいるだけではなく、背中合わせの部分のＡ凸部３ａ、Ａ凹部２ａが填まり込んでいるので、より一体性が保たれるという効果を生じる。
【００５２】
図７（ｅ）の椅子１０Ｆは、図７（ａ），（ｂ）の椅子１０Ｃを延長可能とし、かつ、コーナーブロック５ｃを用いて、直角方向にも延びるようにしたものである。この場合、座板８Ｃが一つのブロック５′上で連結されるように相互に段部を設けて、Ｂ凸部３ｂ、Ｂ凹部２ｂを利用して相互に離れないようにしている。
【００５３】
図８は、本発明の組み立て家具用ブロックを組み合わせたパーテーションの一例を示す正面図である。このパーテーション１０Ｇは、Ａ面に凹凸のないブロック５Ａと、Ａ面に凹凸のあるブロック５とを交互に上下に８個、左右に７個、それぞれのＢ面、Ｃ面の凸部、凹部を填まり込ませて表面が市松模様になるようにしたものである。
【００５４】
このパーテーション１０Ｇによれば、いくつかのブロック５，５Ａに電気接続部２ｄ，３ｄを設置して、照明を入れて種々の色に光らせたり、パネルＰＡを、Ａ面のＡ凸部３ａを利用して取り付けたり、補助リング５ｄをＡ凸部３ａの外周に嵌めて、この補助リング５ｄに植木鉢ＦＨがぶら下げられるなど、単なる間仕切りだけの機能だけでなく、多様な使い方が可能となる。
【００５５】
なお、パーテーション１０Ｇの両側には半円形の補助柱５ｄを設けて、外観を良くし、また、上方にはＢ面の突起を吸収する上板８Ｄを、同様に下方にはＢ面の突起を吸収する基礎板８Ｅを設けてある。
【００５６】
このように、本発明の組み立て家具用ブロック５・・・は、いろいろな組み合わせて、多種類の家具を構成することができ、その際、各凸部、凹部がその組み合わせを強固なものとして、他方では、外観の一部を構成して、意匠的な魅力をまし、更に、種々のものを固定したり、ぶら下げたりすることもできる。
【００５７】
また、符号５Ｆは、家具用ブロック５・・の４つの面取り部４に囲まれた部分にはめ込まれた差し込み部材であり、これに垂れ幕をぶら下げたり、いろいろなものを下げたりすることができる。なお、他のコーナー部分にも同様の隙間があるが、この図面では、省略している。この差し込み部材５Ｆは、例えば、パーテーションをブロック５Ａ（Ａ面の凹部、凸部がないものだけで構成する場合でも種々のものを取り付け、吊り下げるのに用いることができる。
【００５８】
図９は、本発明の組み立て家具用ブロックを組み合わせたパーテーションの別例を示す上面図である。このように本発明の組み立て家具用ブロック５・・・を用いたパーテーション１０Ｈは、枝分かれさせたり、コーナーブロック５ｃを使って、直角に伸ばしたりすることもできる。
【００５９】
以上の使用例を見渡すと、本願発明の組み立て家具用ブロックは、以下のような効果を発揮することができる、ということが解る。
１）各面間隔がそのまま家具の一部の寸法を構成して、最低限２つのブロックの組み合わせで一種類の家具が構成でき、また、３対の面の用い方で、椅子、テーブル、棚、パーテーションの一つの寸法を確保することができ、効率良く組み立て家具が構成できる。
２）上記の効果の結果、一つの目的で使い終わったブロックは、他の目的のためにリサイクル、リユースすることができる。本発明は地球に優しい発明である。
３）直方体の形状は１種類だけなので、製造が為やすく、交換も為やすい。
４）合成樹脂を用い、原則は、白色半透明となるが、それ以外に、いろいろな色を使って、意匠的に優れたものとすることができる。
５）凹凸の有無を含めても、原則として、Ａ面の凹凸の有無と、Ｂ面の底部が凹凸なしか有りの４種類に基本ブロックで構成されるので、在庫の種類が少なく、在庫管理が為やすい。
６）中空なので、水を主とするタンクとして用いることができ、その場合、満水で約２６ｋｇで人が運べる重さで、タンクとしての取り扱いも楽である。これは、災害時の水の保管場所としても有効に利用できるということである。
７）外観として表れる凹凸を意匠的に利用でき、また、種々のものを吊り下げたり、取り付けたりすることに利用できる。
８）面取りで形成される隙間を、棒状のものを差し込む空間として利用でき、物をぶら下げたりすることができる。
９）各面に設けられた凸部、凹部が前後左右に交互となっているので、相互に嵌め合わせるときに、方向性に拘束されず、嵌め合わせが為やすい。
【００６０】
また、上記の効果は、組み立て家具とした際には、組み立て家具として、発揮される。
【００６１】
なお、本発明は、上記実施形態に限定されるものではなく、各実施例の様々な組み合わせも含むものであり、特許請求の範囲のに記載した範囲で自由に変更して実施することができる。たとえば、長椅子の構成で幅と長さを長くすれば、ベッドとすることができ、その他、多種多様の家具を構成することができる。
【産業上の利用可能性】
【００６２】
本発明の組み立て家具用ブロック及び組み立て家具は、組み立て家具用のブロックとして、各面間隔がそのまま家具の一部の寸法を構成して、最低限２つのブロックの組み合わせで一種類の家具が構成でき、また、３対の面の用い方で、椅子、テーブル、棚、パーテーションなどの一つの寸法を確保することができ、効率良く組み立て家具が構成できることが要請される産業分野に用いることができる。
【図１】
2012210334.tif 000003
【図２】
2012210334.tif 000004
【図３】
2012210334.tif 000005
【図４】
2012210334.tif 000006
【図５】
2012210334.tif 000007
【図６】
2012210334.tif 000008
【図７】
2012210334.tif 000009
【図８】
2012210334.tif 000010
【図９】
2012210334.tif 000011
【図１０】
2012210334.tif 000012